(57)【要約】【課題】地中に埋設される雨水浸透カルバートボックスと、通路カルバートボックスとを組み合わせて、該中空通路内をメンテナンス要員が通用することができると共に、敷地の形状に合わせて自在に配置することができる雨水浸透貯留槽の構築方法の提供を図る。【解決手段】雨水浸透カルバートボックスと通路カルバートボックスを用いて構成され、雨水浸透カルバートボックスは、透水性コンクリートにより形成されると共に、四角筒状体の水平方向に延設する中空通路を形成して成り、通路カルバートボックスは、不透水性コンクリートにより形成されると共に、四角筒状体の水平方向に延設する中空通路を形成し、該中空通路の一側壁面に通用穴を形成するカルバートボックスと、通用穴を形成しないカルバートボックスと、を組み合わせて形成し、雨水浸透カルバートボックスを平積み又は段重ねした状態で複数列配設した中空通路の両端を閉塞部材で閉塞する。【選択図】図２
2018084106.tif 000002
【特許請求の範囲】
【請求項１】
雨水浸透カルバートボックスと、通路カルバートボックスと、を用いて構成される雨水浸透貯留槽の構築方法であって、
前記雨水浸透カルバートボックスは、透水性コンクリートにより四角筒状に成形されることで内部水平方向に中空通路が形成されて成り、
前記通路カルバートボックスは、不透水性コンクリートにより四角筒状に成形されることで内部水平方向に中空通路が形成されると共に、一側壁面に該中空通路と連通する通用穴を有するものと有しないものとの二種から成り、
敷地の埋設空間内において、平積み又は段重ねした状態で複数基連設した前記雨水浸透カルバートボックスを複数列配設し、且つ、少なくとも各列の両端に通路カルバートボックスを夫々連設することで、中空通路が水平方向に延設された状態を為し、該延設された中空通路の両端を閉塞部材で閉塞したことを特徴とする雨水浸透貯留槽の構築方法。
【請求項２】
複数基連設される前記雨水浸透カルバートボックスの所定中間箇所に、該雨水浸透カルバートボックスに替えて前記通路カルバートボックスが連設されて成ることを特徴とする請求項１に記載の雨水浸透貯留槽の構築方法。
【請求項３】
最上段に配設される前記通路カルバートボックスの少なくとも一基若しくは複数基の上段に、上端に点検口が備えられたマンホール通路管が連設されて成ることを特徴とする請求項1または請求項２に記載の雨水浸透貯留槽構築方法。
【請求項４】
前記閉塞部材が、不透水性コンクリートにより四角筒状に成形されることで内部垂直方向に中空通路が形成され且つ一側壁面に該中空通路と連通する通用穴を有するものと有しないものとの二種から成る縦穴カルバートボックスにより構成されて成り、
該縦穴カルバートボックスにより垂直方向に延設された中空通路の上端を、不透水性コンクリートにより成形され上方に点検口を備える閉塞上蓋で閉塞すると共に、下端を不透水性コンクリートにより成形された閉塞下蓋で閉塞したことを特徴とする請求項1から請求項３のいずれかに記載の雨水浸透貯留槽の構築方法。
【請求項５】
最上段に配設される前記縦穴カルバートボックスに、外部の排水路に連結される連通穴が備えられていることを特徴とする請求項４に記載の雨水浸透貯留槽構築方法。
【発明の詳細な説明】
【技術分野】
【０００１】
本発明は、地中に埋設される雨水浸透カルバートボックスと、通路カルバートボックスとを組み合わせて、槽内をメンテナンス要員が通用することができると共に、敷地の形状に合わせて自在に配置することができる雨水浸透貯留槽の構築方法に関する。
【背景技術】
【０００２】
近年、道路や敷地の舗装化が進むにつれて、地面が雨水不浸透な状態となり、大雨が降った時などは地表に水が溢れ出たり、流れ込む雨水によって河川が急激に増加するようになった。この大雨などによる道路・敷地の冠水や河川の急な増水をなくす対策として、透水性を有するコンクリート製や強化プラスチック製の貯留浸透槽を地中に埋設することが提案されている。かかる貯留浸透槽は、舗装地面に降った雨水を一時的に貯留し、徐々に地中に浸透排水させる貯留浸透システムとして機能したり、また、地中に埋設した貯留浸透槽に雨水を一時的に流入させることで、大量の降雨があったときに、道路側溝から雨水が道路などに流出するのを抑制し、且つ、中小河川の排水能力を上回る規模の雨水が河川に流れ込むのを防止するように機能するものである。しかしながら、このような従来の提案は、雨水等に混在するゴミや粉塵、土壌などが堆積することにより目詰まりを起こして透水機能が阻害される場合があり、かかる目詰まり箇所を掃除して機能復元を図るにも、槽内にメンテナンス要員が通用するのに充分な空間を備えていないため、メンテナンス性に問題があった。
【０００３】
従来より、貯留浸透槽に関する技術提案として、例えば、大型で強度が高く、耐久性にも優れた「貯留浸透槽」（特許文献１参照）が提案され、公知技術となっている。具体的には、地中に埋設され、一時的に貯留した雨水を地中に浸透排水する貯留浸透槽において、 非透水の鉄筋コンクリートにより形成され、雨水を貯留する槽本体と、この槽本体の少なくとも一の縦壁面部に形成された排水用開口部と、この排水用開口部のうち少なくとも前記縦壁面部の前記排水用開口部を閉鎖して設けられ、透水性コンクリートにより形成された透水板とを具備している構造となっている。
【０００４】
しかしながら、かかる「貯留浸透槽」の提案は、雨水の貯留浸透手段が透水性コンクリートにより形成された透水板による側面に限定されることから、浸透機能が著しく劣るものであり、さらに貯留浸透槽の形状が長尺のリフィーム管状であることから、施工配置形状が限定されるものであって、敷地面積の形状に沿って自在に施工することができない、といった問題があった。
【０００５】
また、複数の種類の貯水空間形成部材を用いて１つの地中に埋設された貯留浸透槽を形成する場合であっても、従来からある貯水空間形成部材をそのまま用いながら、鉛直荷重に対して十分な耐性を持つ「地中に埋設された貯留浸透槽」（特許文献２参照）が提案され、公知技術となっている。具体的には、地中に埋設された貯留浸透槽であって、少なくとも鉛直荷重を支持する鉛直荷重支持部材間の間隔が異なっている２種類以上の貯水空間形成部材が上下方向に積み上げられて形成されており、前記鉛直荷重支持部材間の間隔は下位の貯水空間形成部材が上位の貯水空間形成部材よりも広くされており、さらに下位の貯水空間形成部材と上位の貯水空間形成部材の間には荷重分散部材が配置されている構造となっている。
【０００６】
しかしながら、かかる「地中に埋設された貯留浸透槽」の提案は、雨水の貯留浸透手段が大量の且つ複数の貯水空間形成部材によって構成されていることから、施工効率ならびに施工コストが極めて悪い上、下位貯留浸透槽が一定の長さをもって形成されていることから、メンテナンス作業においても、貯水空間形成部材間に堆積した砂塵や土壌の撤去が非常に困難を極める、といった問題があった。
【０００７】
本出願人は、以上のような従来から提案されている雨水浸透貯留槽における透水性や施工性ならびにメンテナンス性に加えて安全性及び経済性に着目し、それらの問題点をメンテナンス要員が通用することができるカルバートボックスの組み合わせによって効率的且つ安全な手段で解決することができないかとの着想の下、地中に埋設される雨水浸透カルバートボックスと、通路カルバートボックスとを組み合わせて、槽内をメンテナンス要員が通用することができると共に、敷地の形状に合わせて自在に配置することができる雨水浸透貯留槽の構築方法を開発し、本発明にかかる「雨水浸透貯留槽の構築方法」の提案に至るものである。
【先行技術文献】
【特許文献】
【０００８】
【特許文献１】実用新案登録第３１２５０２７号公報
【特許文献２】特開２０１２−３１６１３号公報
【発明の概要】
【発明が解決しようとする課題】
【０００９】
本発明は、上記問題点に鑑み、槽内をメンテナンス要員が通用することができると共に、敷地の形状に合わせて自在に配置することができる雨水浸透貯留槽の構築方法を提供することを課題とする。
【課題を解決するための手段】
【００１０】
上記課題を解決するため、本発明は、雨水浸透カルバートボックスと、通路カルバートボックスと、を用いて構成される雨水浸透貯留槽の構築方法であって、該雨水浸透カルバートボックスは、透水性コンクリートにより四角筒状に成形されることで内部水平方向に中空通路が形成されて成り、該通路カルバートボックスは、不透水性コンクリートにより四角筒状に成形されることで内部水平方向に中空通路が形成されると共に、一側壁面に該中空通路と連通する通用穴を有するものと有しないものとの二種から成り、敷地の埋設空間内において、平積み又は段重ねした状態で複数基連設した雨水浸透カルバートボックスを複数列配設し、且つ、少なくとも各列の両端に通路カルバートボックスを夫々連設することで、中空通路が水平方向に延設された状態を為し、該延設された中空通路の両端を閉塞部材で閉塞した構成を採用する。
【００１１】
また、本発明は、複数基連設される前記雨水浸透カルバートボックスの所定中間箇所に、該雨水浸透カルバートボックスに替えて前記通路カルバートボックスが連設された構成を採用し得る。
【００１２】
さらに、本発明は、最上段に配設される前記通路カルバートボックスの少なくとも一基若しくは複数基の上段に、上端に点検口が備えられたマンホール通路管が連設された構成を採用することができる。
【００１３】
またさらに、本発明は、前記閉塞部材が、不透水性コンクリートにより四角筒状に成形されることで内部垂直方向に中空通路が形成され且つ一側壁面に該中空通路と連通する通用穴を有するものと有しないものとの二種から成る縦穴カルバートボックスにより構成されて成り、該縦穴カルバートボックスにより垂直方向に延設された中空通路の上端を、不透水性コンクリートにより成形され上方に点検口を備える閉塞上蓋で閉塞すると共に、下端を不透水性コンクリートにより成形された閉塞下蓋で閉塞した構成を採用し得る。
【００１４】
さらにまた、本発明は、最上段に配設される前記縦穴カルバートボックスに、外部の排水路に連結される連通穴が備えられた構成を採ることもできる。
【発明の効果】
【００１５】
本発明にかかる雨水浸透貯留槽の構築方法によれば、メンテナンス要員が通路カルバートボックスを通って雨水浸透カルバートボックスの中空通路内を自由に行き来することができることから、中空通路内に堆積した土壌や砂塵、ゴミ等を効率よく除去することが可能であって、目詰まり防止に資し、メンテナンス性に優れた雨水浸透貯留槽を構築することができるといった効果を奏する。
【００１６】
また、本発明にかかる雨水浸透貯留槽の構築方法によれば、雨水浸透貯留槽が四角筒状に成形されたブロック状であることから、敷地の形状に合わせて自在に配置することができると共に、大幅な工期の短縮ならびに施工コストの削減が図れる、といった優れた効果を奏する。
【００１７】
さらに、本発明にかかる雨水浸透貯留槽の構築方法によれば、プレキャストコンクリート工法によって、現場で安全かつ簡単に組み立て・設置を行うことができると共に、工場などで予め製造しておくことができるため、低コストでの雨水浸透貯留槽の提供が可能になる、といった優れた効果を奏する。
【００１８】
またさらに、本発明にかかる雨水浸透貯留槽の構築方法によれば、雨水浸透貯留槽が合成樹脂成型品ではなくコンクリートブロックで形成されていることから、施工時における延焼火災や、経年劣化を阻止することができる、といった優れた効果を奏する。
【００１９】
さらにまた、本発明にかかる雨水浸透貯留槽の構築方法によれば、雨水の浸透を潤滑なものとし、さらに大雨時の大量の雨水の流入が可能であると共に、徐々に時間をかけて地中に浸透させることで液状化現象ならびにゲリラ豪雨による浸水被害の防止が図れる、といった優れた効果を奏する。
【図面の簡単な説明】
【００２０】
【図１】本発明にかかる雨水浸透貯留槽の構築方法に用いられる構成要素を示す全体斜視図である。（実施例１）
【図２】本発明にかかる雨水浸透貯留槽の構築方法の第一の実施形態を示す断面説明図である。
【図３】本発明にかかる雨水浸透貯留槽の構築方法の第二の実施形態を示す断面説明図である。（実施例２）
【図４】本発明にかかる雨水浸透貯留槽の構築方法の第三の実施形態を示す断面説明図である。（実施例３）
【発明を実施するための形態】
【００２１】
本発明にかかる雨水浸透貯留槽１０の構築方法は、地中Ｇに埋設される雨水浸透カルバートボックス２０と、通路カルバートボックス２３とを組み合わせて、中空通路２１内をメンテナンス要員Ｈが通用することができると共に、敷地の形状に合わせて自在に配置することができる構成を採ったことを最大の特徴とする。
以下、本発明にかかる雨水浸透貯留槽１０の構築方法の実施形態を、図面に基づいて説明する。
【００２２】
尚、本発明にかかる雨水浸透貯留槽１０の構築方法は、以下に述べる実施例に限定されるものではなく、本発明の技術的思想の範囲内、すなわち同一の作用効果を発揮できる形状や寸法等の範囲内で、適宜変更することができる。
【実施例１】
【００２３】
図1は、本発明にかかる雨水浸透貯留槽１０の構築方法に用いられる構成要素を示す全体斜視図であり、（ａ）は雨水浸透カルバートボックス２０、（ｂ）は閉塞部材２２、（ｃ）は通路カルバートボックス２３を示している。
本発明にかかる雨水浸透貯留槽１０の構築方法は、雨水浸透カルバートボックス２０と、通路カルバートボックス２３と、を用いて構成されている。
【００２４】
図１（ａ）に示すように、雨水浸透カルバートボックス２０は、透水性コンクリートにより四角筒状に成形されて成り、これにより内部の水平方向に中空通路２１が形成される。中空通路２１は、作業要員が、かがんだ状態で往来できる大きさを有するもので、その四隅コーナー部には三角状の鎹（かすがい）部を形成して、土壌による垂直過重ならびに横変形過重を軽減している。該雨水浸透カルバートボックス２０の外形状・大きさ（外寸）については、特に限定はないが、例えば幅及び高さが約４５０〜１８００ｍｍの略正方形状であって長さが約１０００ｍｍ程度とする態様が考え得る。また、中空通路２１の形状・内径寸法についても特に限定はないが、略正方形状であって、雨水浸透カルバートボックス２０の外寸及び用途に応じて約３００〜１５００ｍｍ程度に設定される。
【００２５】
図１（ｂ）に示すように、通路カルバートボックス２３は、不透水性コンクリートにより四角筒状に成形されて成り、これにより内部の水平方向に中空通路２１が形成される。該通路カルバートボックス２３及び中空通路２１の形状・寸法については、前記雨水浸透カルバートボックス２０と同様であるため、説明は省略する。
【００２６】
ところで、該通路カルバートボックス２３は、一側壁面に中空通路２１と連通する通用穴２５を有するカルバートボックス２４ａと、該通用穴２５を有しないカルバートボックス２４ｂとの二種が存在する。通用穴２５は、メンテナンス要員Ｈが中空通路２１内を行き来するために設けられるもので、また、大雨や洪水時には雨水Ｓの流入口としても機能する。そして、通用穴２５を有するカルバートボックス２４ａの内壁面には、必要に応じて手掛け階段２８が設けられている。該手掛け階段２８の具体的構造については特に限定はなく、例えば、内壁面を所定間隔で複数段にわたって凹状に刳り抜いたり、略Ｕ字状部材を配設する構造態様などが考え得る。
【００２７】
尚、上記雨水浸透カルバートボックス２０及び通路カルバートボックス２３により構成される雨水浸透貯留槽１０において、水平方向に延設された状態を為す中空通路２１の両端は、図１（ｂ）に示す閉塞部材２２により閉塞される。該閉塞部材２２は、シートやコンクリートなどの透水性または不透水性材料から成り、中空通路２１を閉塞する形状に形成される。
【００２８】
以上の各構成要素を組み合わせて、敷地における地中Ｇの埋設空間内に適宜敷設することで、本発明にかかる雨水浸透貯留槽１０の構築方法が構成される。図２は、本発明にかかる雨水浸透貯留槽１０の構築方法の第一の実施形態を示しており、（ａ）は平断面説明図、（ｂ）は側断面説明図である。
【００２９】
すなわち、本実施形態にかかる雨水浸透貯留槽１０の構築方法において、雨水浸透カルバートボックス２０は、埋設空間の深さに応じて、平積み又は段重ねした状態で用いられる。また、埋設空間の平面敷地面積に応じて、該埋設空間を埋め尽くすように、複数基連設された雨水浸透カルバートボックス２０が複数列配設される。そして、複数基の雨水浸透カルバートボックス２０が連設された各列の少なくとも両端に、夫々通路カルバートボックス２３が一基乃至複数基連設される。これにより、雨水浸透カルバートボックス２０の中空通路２１と通路カルバートボックス２３の中空通路２１とが、水平方向に一連に延設された状態を為すこととなる。そして最後に、延設された中空通路２１の両端、すなわち通路カルバートボックス２３における他のカルバートボックスと連設した側と反対の側に閉塞部材２２が配設され、一連に延設された中空通路２１が閉塞される。
【００３０】
一側壁面に中空通路２１と連通する通用穴２５を有するカルバートボックス２４ａと、該通用穴２５を有しないカルバートボックス２４ｂとの二種が存在する通路カルバートボックス２３について、その配置箇所については特に限定はなく、メンテナンス要員Ｈが中空通路２１内を行き来するためという通用穴２５の機能に鑑みて、適宜選択配置される。但し、上下あるいは左右に互いに隣接する通路カルバートボックス２３において、カルバートボックス２４ａにおける通用穴２５を有する一側壁面には、同じくカルバートボックス２４ａの通用穴２５を有する一側壁面が隣接され、互いの通用穴２５が連通状態を為すように配置される。
【００３１】
また、最上段に配置される通路カルバートボックス２３について、少なくとも一のカルバートボックス２４ａが上面に通用穴２５を有する状態で配設されると共に、その上面の通用穴２５を蓋体２７で閉塞する態様を採用し得る。かかる態様を採用することにより、該通用穴２５について、メンテナンス要員Ｈが中空通路２１内に入るための点検口として機能させることができる。
【００３２】
ところで、図面では、雨水浸透カルバートボックス２０が連設された各列の両端に通路カルバートボックス２３を連設した構成態様について示しているが、複数基連設される雨水浸透カルバートボックス２０の所定中間箇所に、通路カルバートボックス２３を連設する構成態様も可能である。かかる態様を採用することで、一の列にかかる中空通路２１から他の列にかかる中空通路２１への移動について、通路カルバートボックス２３（カルバートボックス２４ａ）が連設された両端箇所まで行かずとも、各列の所定中間箇所にて移動が可能になると共に、雨水浸透カルバートボックス２０より強度を有する通路カルバートボックス２３について、敷地面積ならびに地盤の傾斜や軟弱度に合わせて任意の中間箇所に配設することで、雨水浸透貯留槽１０全体の強度向上に資することとなる。
【００３３】
尚、雨水浸透カルバートボックス２０及び通路カルバートボックス２３の連設や閉塞部材２２の配設における隣接する部材同士の連結に関しては、各部材に設けられた凹凸突起溝によって互いに嵌め合わされ、且つ、必要に応じてプレートやボルトで連結・固定される態様を採る。
【００３４】
以上の通り本発明にかかる構築方法によって構成される雨水浸透貯留槽１０について、次に、地中Ｇに浸み込んだ雨水Ｓの浸透貯留状況について順に説明する。
（１）地表Ｆの雨水Ｓが、地中Ｇに浸み込む。
（２）地中Ｇに浸み込んだ雨水Ｓが、雨水浸透カルバートボックス２０の上方若しくは側方の透水性コンクリート部分へ浸入する。
（３）透水性コンクリート部分に浸入した雨水Ｓは、中空通路２１へ到達し、一時的に貯留される。
（４）中空通路２１内で一時的に貯留された雨水Ｓは、時間をかけて雨水浸透カルバートボックス２０の下方の透水性コンクリート部分から徐々に地中Ｇに放出される。
【００３５】
以上の通り、本発明にかかる雨水浸透貯留槽１０の構築方法は、構成要素（雨水浸透カルバートボックス２０，通路カルバートボックス２３）が定型のブロック状であることから、敷地の形状や埋設深さに合わせて自在に配置することができると共に、大幅な工期の短縮ならびに施工コストの削減ができ、また、プレキャストコンクリート工法によって、現場で安全かつ簡単に組み立て・設置を行うことができると共に、工場などであらかじめ製造することができるため低コストでの雨水浸透貯留槽１０の提供が可能となり、さらに、雨水浸透貯留槽１０が合成樹脂成型品ではなくコンクリートブロックで形成されていることによって、施工時における火災の延焼や、経年劣化を阻止することができると共に、雨水Ｓの浸透を潤滑なものとし、またさらに、大雨、大水時の大量の雨水Ｓの流入を可能なものとすると共に、徐々に時間をかけて地中Ｇに浸透させることで液状化現象ならびにゲリラ豪雨などによる浸水被害の防止ができ、さらにまた、メンテナンス要員Ｈが雨水浸透カルバートボックス２０及び通路カルバートボックス２３の中空通路２１内を自由に行き来することができることから、該中空通路２１内に堆積した土壌や砂塵、ゴミ等を効率よく除去することが可能であって、目詰まり防止並びにメンテナンス性に優れた雨水浸透貯留槽１０を構築することができる、といった多くの特徴を有する。
【実施例２】
【００３６】
本発明にかかる雨水浸透貯留槽１０の構築方法の第二の実施例について、図３を用いて説明する。上記実施例１と同様の部分は省略する。
図３は、本発明にかかる雨水浸透貯留槽の構築方法の第二の実施形態を示す側断面説明図である。
本実施形態にかかる雨水浸透貯留槽１０の構築方法は、最上段に配設される通路カルバートボックス２３の上段に、上端に点検口が備えられたマンホール通路管２６が連設された構成となっている。
【００３７】
マンホール通路管２６は、不透水性のコンクリートにより略円筒状に成形されて成る。かかるマンホール通路管２６は、最上段に配設された通路カルバートボックス２３の地表Ｆからの深さ位置に応じて、鉛直方向に一乃至複数段延設される。最上段のマンホール通路管２６の上端であって地表Ｆに露出する位置には点検口が備えられ、該点検口は蓋体２７によって閉塞される。
【００３８】
マンホール通路管２６の内壁面には、必要に応じて手掛け階段２８が設けられている。該手掛け階段２８の具体的構造については特に限定はなく、例えば、内壁面を所定間隔で複数段にわたって凹状に刳り抜いたり、略Ｕ字状部材を配設する構造態様などが考え得る。
【００３９】
マンホール通路管２６は、最上段に配設される通路カルバートボックス２３の少なくとも一基若しくは複数基の上段に連設される。このとき、マンホール通路管２６は、一側壁面（上面）に中空通路２１と連通する通用穴２５を有するカルバートボックス２４ａの上段に連設され、通用穴２５とマンホール通路管２６とが連通状態を為すように配置される。
【００４０】
尚、マンホール通路管２６の連設における隣接する部材同士の連結に関しては、各部材に設けられた凹凸突起溝によって互いに嵌め合わされ、且つ、必要に応じてプレートやボルトで連結・固定される態様を採る。
【００４１】
以上の通り構成される本発明にかかる雨水浸透貯留槽１０の構築方法は、埋設位置が地表Ｆから深い位置に埋設されている場合であっても、マンホール通路管２６を介してメンテナンス要員Ｈが雨水浸透カルバートボックス２０及び通路カルバートボックス２３の中空通路２１内へ容易に行き来可能であり、さらなるメンテナンス性の向上に資する雨水浸透貯留槽１０を構築することができることとなる。
【実施例３】
【００４２】
本発明にかかる雨水浸透貯留槽１０の構築方法の第三の実施例について、図４を用いて説明する。上記実施例１並びに実施例２と同様の部分は省略する。
図４は、本発明にかかる雨水浸透貯留槽１０の構築方法の第三の実施形態を示す側断面説明図である。
本実施形態にかかる雨水浸透貯留槽１０の構築方法は、水平方向に延設された状態を為す中空通路２１の両端を閉塞する閉塞部材２２として、縦穴カルバートボックス２９を使用する構成を採用する。
【００４３】
縦穴カルバートボックス２９は、不透水性コンクリートにより四角筒状に成形されて成り、これにより内部の垂直方向に中空通路２１が形成される。該縦穴カルバートボックス２９の外形状・大きさ（外寸）については、特に限定はないが、例えば幅及び長さが約４５０〜１８００ｍｍの略正方形状であって高さが約１０００ｍｍ程度とする態様が考え得る。また、中空通路２１の形状・内径寸法についても特に限定はないが、略正方形状であって、縦穴カルバートボックス２９の外寸及び用途に応じて約３００〜１５００ｍｍ程度に設定される。
【００４４】
縦穴カルバートボックス２９の内壁面には、必要に応じて手掛け階段２８が設けられている。該手掛け階段２８の具体的構造については特に限定はなく、例えば、内壁面を所定間隔で複数段にわたって凹状に刳り抜いたり、略Ｕ字状部材を配設する構造態様などが考え得る。
【００４５】
かかる縦穴カルバートボックス２９は、雨水浸透貯留槽１０が埋設された地表Ｆからの深さ位置に応じて、鉛直方向に一乃至複数段延設される。縦穴カルバートボックス２９により垂直方向に延設された中空通路２１の上端は、不透水性コンクリートにより成形され上方に点検口を備える閉塞上蓋２９ａにより閉塞されている。同様に中空通路２１の下端は、不透水性コンクリートにより成形された閉塞下蓋２９ｂによって閉塞されている。尚、閉塞上蓋２９ａの点検口は、蓋体２７によって閉塞される。
【００４６】
該通路縦穴カルバートボックス２９は、一側壁面に中空通路２１と連通する通用穴２５を有するものと、該通用穴２５を有しないものとの二種が存在する。該通用穴２５は、雨水浸透カルバートボックス２０及び通路カルバートボックス２３により水平方向に延設された中空通路２１と連通するためのものであって、したがって通路縦穴カルバートボックス２９における通路カルバートボックス２３との隣接面にのみ設けられる。かかる通用穴２５は、メンテナンス要員Ｈが中空通路２１内を行き来するために設けられるもので、また、大雨や洪水時には雨水Ｓの流入口としても機能する。
【００４７】
縦穴カルバートボックス２９の連設における隣接する部材同士の連結に関しては、各部材に設けられた凹凸突起溝によって互いに嵌め合わされ、且つ、必要に応じてプレートやボルトで連結・固定される態様を採る。
【００４８】
尚、かかる縦穴カルバートボックス２９については、例えば、前記通路カルバートボックス２３を垂直方向に配置することでも代用し得る。
【００４９】
ところで、図面で示すように、最上段に配設される縦穴カルバートボックス２９に、地表Ｆ若しくは地中Ｇに配される外部の排水路３０に連結される連通穴２９ｃを備える態様も考え得る。これにより、地中Ｇへの浸透を待たずとも、雨水Ｓを効果的に雨水浸透貯留槽１０内へ取り込むことが可能となる。
【００５０】
以上の通り本発明にかかる構築方法によって構成される雨水浸透貯留槽１０について、次に、排水路３０に流れ込んだ雨水Ｓの浸透貯留状況について順に説明する。
（１）雨水Ｓが、排水路３０に流れ込む。
（２）排水路３０に流れ込んだ雨水Ｓが、縦穴カルバートボックス２９に集水される。
（３）縦穴カルバートボックス２９に集水され溜まった雨水Ｓは、通用穴２５を介して雨水浸透カルバートボックス２０の中空通路２１へ到達し、一時的に貯留される。
（４）中空通路２１内で一時的に貯留された雨水Ｓは、時間をかけて雨水浸透カルバートボックス２０の下方の透水性コンクリート部分から徐々に地中Ｇに放出される。
【００５１】
以上の通り構成される本発明にかかる雨水浸透貯留槽１０の構築方法は、大量の雨水Ｓを地中浸透だけでなく排水路３０を介して雨水浸透貯留槽１０内に流入させることで、処理能力のさらなる向上が図られ、ゲリラ豪雨などによる浸水被害の防止に資する雨水浸透貯留槽１０を構築することができることとなる。
【産業上の利用可能性】
【００５２】
本発明にかかる雨水浸透貯留槽の構築方法は、従来の雨水浸透貯留槽と比較して、機能性、施工性、メンテナンス性、安全性、経済性など多くの面で優れた特徴を有していることから、本発明の産業上の利用可能性は極めて大きいものと思料する。
【符号の説明】
【００５３】
１０    雨水浸透貯留槽
２０    雨水浸透カルバートボックス
２１    中空通路
２２    閉塞部材
２３    通路カルバートボックス
２４ａ  カルバートボックス（通用穴有り）
２４ｂ  カルバートボックス（通用穴無し）
２５    通用穴
２６    マンホール通路管
２７    蓋体
２８    手掛け階段
２９    縦穴カルバートボックス
２９ａ  閉塞上蓋
２９ｂ  閉塞下蓋
２９ｃ  連通穴
３０    排水路
Ｆ    地表
Ｇ    地中
Ｈ    メンテナンス要員
Ｓ    雨水
【図１】
2018084106.tif 000003
【図２】
2018084106.tif 000004
【図３】
2018084106.tif 000005
【図４】
2018084106.tif 000006